(57)【特許請求の範囲】
【請求項１】
折り曲げられた複数のストランドを含むワイヤーロープのロープ端末をシャックルロッド内に引き込み、前記ロープ端末に前記シャックルロッドを取り付けるためのワイヤーロープのソケッティング用治具装置において、
機台と、
前記機台上に沿って摺動自在に設けられた摺動体とを備え、
前記機台上に前記ワイヤーロープを保持する保持装置が取り付けられ、前記摺動体に前記ワイヤーロープが貫通する前記シャックルロッドを固定するシャックルロッド固定治具が取り付けられ、
前記保持装置に、前記摺動体を前記保持装置から引き離して前記シャックルロッド固定治具に固定された前記シャックルロッド内に前記ロープ端末を引き込む押出機構を取り付け、
前記シャックルロッドは前記ロープ端末を引き込み固定する固定部を含み、
前記摺動体は前記シャックルロッドの前記固定部を載置する平板状をなし、
前記シャックルロッドの前記固定部は、先細状先端部を有し、前記シャックルロッド固定治具は、前記シャックルロッドの先細状先端部に対応するとともに先細状に配置された一対の固定板を含み、
前記一対の固定板は前記摺動体の一側に設けられ、前記摺動体の他側に前記固定部の前記先細状先端部と反対側の端部を保持するシャックルロッド保持金具が設けられ、前記一対の固定板と前記シャックルロッド保持金具とにより、前記固定部が前記摺動体上で保持される、
ワイヤーロープのソケッティング用治具装置。
【請求項２】
折り曲げられた複数のストランドを含むワイヤーロープのロープ端末をシャックルロッド内に引き込み、前記ロープ端末に前記シャックルロッドを取り付けるためのワイヤーロープのソケッティング用治具装置を用いたワイヤーロープのソケッティング方法であって、前記ソケッティング用治具装置は機台と、前記機台上に沿って摺動自在に設けられた摺動体とを備え、
前記機台上に前記ワイヤーロープを保持する保持装置が取り付けられ、前記摺動体に前記ワイヤーロープが貫通する前記シャックルロッドを固定するシャックルロッド固定治具が取り付けられ、
前記保持装置に、前記摺動体を前記保持装置から引き離して前記シャックルロッド固定治具に固定された前記シャックルロッド内に前記ロープ端末を引き込む押出機構を取り付け、
前記シャックルロッドは前記ロープ端末を引き込み固定する固定部を含み、
前記摺動体は前記シャックルロッドの前記固定部を載置する平板状をなし、
前記シャックルロッドの前記固定部は、先細状先端部を有し、前記シャックルロッド固定治具は、前記シャックルロッドの先細状先端部に対応するとともに先細状に配置された一対の固定板を含み、
前記一対の固定板は前記摺動体の一側に設けられ、前記摺動体の他側に前記固定部の前記先細状先端部と反対側の端部を保持するシャックルロッド保持金具が設けられ、前記一対の固定板と前記シャックルロッド保持金具とにより、前記固定部が前記摺動体上で保持され、
前記ワイヤーロープのソケッティング方法は、
前記ワイヤーロープが貫通する前記シャックルロッドを前記摺動体に取り付けられたシャックルロッド固定治具に固定する工程と、
前記機台に取り付けられた前記保持装置に前記ワイヤーロープを保持する工程と、
前記保持装置に取り付けられた前記押出機構により前記摺動体を前記保持装置から引き離して前記シャックルロッド固定治具に固定された前記シャックルロッド内に前記ロープ端末を引き込む工程と、を備えたワイヤーロープのソケッティング方法。
【発明の詳細な説明】
【技術分野】
【０００１】
本開示の実施の形態は、ワイヤーロープの端末処理を行うときに使用するワイヤーロープのソケッティング用治具装置およびソケッティング方法に関する。
【背景技術】
【０００２】
エレベーターの乗りかごを吊る主索や、釣り合い重りを吊るロープ等に用いられるワイヤーロープには、事前に端末処理（ソケッティング）を行って、ロープ端末にシャックルロッドを取り付けておく必要がある。ロープ端末にシャックルロッドを取り付ける端末処理作業は、ソケッティングと呼ばれている。
【０００３】
シャックルロッドにワイヤーロープのロープ端末を取り付ける際、ワイヤーロープのストランドを折り曲げたロープ端末をシャックルロッド内に引き込む必要があるが、ロープ端末をシャックルロッド内に引き込むためには大きな力が必要となる。
【０００４】
このような場合、大きな装置構造を用いることなく、簡単な構造によりロープ端末をシャックルロッド内に容易に引き込むワイヤーロープのソケッティング用治具装置およびソケッティング方法が求められている。
【先行技術文献】
【特許文献】
【０００５】
【特許文献１】特許第３８７８８５７号
【特許文献２】特許第６１９４０５１号
【発明の概要】
【発明が解決しようとする課題】
【０００６】
本開示の実施の形態はこのような点を考慮してなされたものであり、簡単な構造をもちロープ端末をシャックルロッド内に容易に引き込むことができるワイヤーロープのソケッティング用治具装置およびソケッティング方法を提供する。
【課題を解決するための手段】
【０００７】
本開示の実施の形態は、折り曲げられた複数のストランドを含むワイヤーロープのロープ端末をシャックルロッド内に引き込み、前記ロープ端末に前記シャックルロッドを取り付けるためのワイヤーロープのソケッティング用治具装置において、機台と、前記機台上に沿って摺動自在に設けられた摺動体とを備え、前記機台上に前記ワイヤーロープを保持する保持装置が取り付けられ、前記摺動体に前記ワイヤーロープが貫通する前記シャックルロッドを固定するシャックルロッド固定治具が取り付けられ、前記保持装置に、前記摺動体を前記保持装置から引き離して前記シャックルロッド固定治具に固定された前記シャックルロッド内に前記ロープ端末を引き込む押出機構を取り付けたワイヤーロープのソケッティング用治具装置である。
【図面の簡単な説明】
【０００８】
【図１】図１は本実施の形態によるワイヤーロープのソケッティング用治具装置を示す斜視図。
【図２】図２は摺動体とシャックルロッド固定治具を示す斜視図。
【図３】図３は機台と保持装置と押出機構を示す斜視図。
【図４Ａ】図４Ａはワイヤーロープのソケッティング方法を示す平面図。
【図４Ｂ】図４Ｂはワイヤーロープのソケッティング方法を示す平面図。
【図５】図５（Ａ）〜（Ｄ）は一般のワイヤーロープのソケッティング作業を示す概略図。
【発明を実施するための形態】
【０００９】
以下本実施の形態について、図面を参照して説明する。
【００１０】
まず図５（Ａ）〜（Ｄ）により一般のワイヤーロープのソケッティング作業について説明する。
【００１１】
はじめに図５（Ａ）に示すようにワイヤーロープ102のロープ端末103をシャックルロッド101に挿入し、ロープ端末103のストランド103ａをほぐす。次にほぐしたストランド103ａを図５（Ｂ）に示すように茶せん状に折り曲げる。次に図５（Ｃ）に示すようにほぐしたストランド103ａを含むロープ端末103をシャックルロッド101内に引き込む。最後に、ロープ端末103を、図５（Ｄ）に示すように茶せん状に折り曲げたストランド103ａがシャックルロッド101から数ｍｍ出るまで引き込んだ後、液体金属をシャックルロッド101と引き込んだロープ端末103との間に流し込みワイヤーロープ102をシャックルロッド101に固定する。
【００１２】
ところで図５（Ａ）〜図５（Ｄ）に示すように、シャックルロッド101は、ワイヤーロープ102のロープ端末103を引き込み固定する固定部101Ａと、固定部101Ａに連結された棒状部101Ｂとを有する。このうち固定部101Ａは引き込まれたワイヤーロープ102のうちロープ端末103以外の部分102ａ側（図５（Ａ）〜図５（Ｂ）の下方側）へ向かって先細状となる先細状先端部１０５を含むとともに、ワイヤーロープ102のロープ端末103が突出する窓部106を有する。
【００１３】
このようなワイヤーロープのソケッティング作業において、図５（Ａ）に示すようなワイヤーロープ102をシャックルロッド101に挿入する作業、および図５（Ｂ）に示すようなワイヤーロープ102のロープ端末103のストランド103ａをほぐして茶せん状に折り曲げる作業は、いずれも手作業で行われる。
【００１４】
ところで、ほぐしたストランド103ａを含むロープ端末103をシャックルロッド101に引き込む作業は、ワイヤーロープ102の直径が大きくなれば、手作業で行うことはむずかしく、本実施の形態によるワイヤーロープのソケッティング用治具装置1を用いて引き込むことになる。
【００１５】
次に本実施の形態によるワイヤーロープのソケッティング用治具装置1について図１乃至図４Ｂにより説明する。
【００１６】
ここで図１は本実施の形態によるワイヤーロープのソケッティング用治具装置を示す斜視図、図２は摺動体とシャックルロッド固定治具を示す斜視図、図３は機台と保持装置と押出装置を示す斜視図、図４Ａおよび図４Ｂはワイヤーロープのソケッティング方法を示す平面図である。
【００１７】
図１乃至図４Ｂにおいて、ワイヤーロープのソケッティング用治具装置1は、上述のように折り曲げられた複数のストランド103ａを含むロープ端末103をシャックルロッド101の固定部101Ａ内に引き込み、ロープ端末103をシャックルロッド101の固定部101Ａに固定するものである。
【００１８】
このようなワイヤーロープのソケッティング用治具装置1は、平板状に形成され、側縁に互いに平行に設けられた一対の案内ガイド3ａ，3ａを有する機台3と、この機台3上に摺動自在に設けられた摺動体2とを備えている。このうち摺動体2も平板状に形成され、摺動体2の一対の側縁2ａ，2ａが機台3の一対の案内ガイド3ａ，3ａに形成された案内溝３ｂ，3ｂ内に嵌め込まれ、摺動体2は一対の案内ガイド3ａ，3ａに案内されて、一対の案内ガイド3ａ，3ａと平行する方向に摺動する。
【００１９】
また図３に示すように、機台3の一側にワイヤーロープ102を保持する保持装置8が取り付けられている。この保持装置8は機台3側に取り付けられた下方保持型12と、下方保持型12との間でワイヤーロープ102を保持する上方保持型13とを有する。下方保持型12と上方保持型13には、各々ワイヤーロープ102を挿着する挿着溝12ａ，13ａが形成され、ワイヤーロープ102は挿着溝12ａ，１3ａ内に挿着されて、下方保持型12と上方保持型13との間で挟持されて保持される。
【００２０】
また上方保持型13には締め付けボルト8ａ，8ａが取り付けられ、この締め付けボルト8ａ，8ａは上方保持型13から下方保持型12まで達する。そして締め付けボルト8ａ，8ａを締め付けることにより、挿着溝12ａ，１3ａ内に挿着されたワイヤーロープ102を下方保持型12と上方保持型13との間で堅固に保持することができる。
【００２１】
他方、図２に示すように、摺動体2には、その一端部に、機台3の保持装置8側に位置するとともに、後述する押出ボルト9により押圧される押圧部5が設けられている。また摺動体2には押圧部5と反対側の端部に、側板2Ａが設けられ、この側板2Ａにシャックルロッド101の固定部101Ａのうち、棒状部101Ｂ側端部を保持するシャックルロッド保持金具6が取り付けられている。
【００２２】
このシャックルロッド保持金具6には、シャックルロッド101の棒状部101Ｂを受ける受け溝６ａが形成されている。シャックルロッド保持金具6は側板２Ａに対してその高さが可変となっており、シャックルロッド101の形状に合わせてシャックルロッド保持金具6の高さ位置を調整することができる。そして高さ位置が調整されたシャックルロッド保持金具6は調整用ボルト7ａ，7ａにより側板2Ａに固定される。
【００２３】
さらにまた図２に示すように、摺動体2上には、機台3の保持装置8側に位置するとともに、シャックルロッド101を固定するシャックルロッド固定治具4が設けられている。このシャックルロッド固定治具4はワイヤーロープ102が貫通するシャックルロッド101を固定するものである。
【００２４】
シャックルロッド101は上述のようにワイヤーロープ102のうちロープ端末103以外の部分102ａ側へ先細状となる先細状先端部105を有し、シャックルロッド固定治具4はこの先細状先端部105に対応する一対の固定板4ａ，4ｂを含む。
【００２５】
すなわち、シャックルロッド固定治具4の一対の固定板4ａ，4ｂは、保持装置8側に向かって先細状に配置されてシャックルロッド101の先細状先端部105に対応する形状を有し、この先細状先端部を保持する。
【００２６】
シャックルロッド固定治具4の一対の固定板４ａ，４ｂは、各々内側へ向かってＬ字状に折れ曲がっており、シャックルロッド101の先細状先端部105を側方外方から挟み込むようにしてこの先細状先端部105を保持する。
【００２７】
また機台3に設けられた保持装置8のうち下方保持型12には、水平方向に延びる雌ねじを含む貫通口11が形成され、この貫通口11内に押出ボルト9が挿着されている。この押出ボルト9は貫通口１１内を水平方向に移動して、摺動体2の押圧部5を押圧する。このことにより摺動体2を保持装置8から引き離して、シャックルロッド固定治具4に固定されたシャックルロッド101内にロープ端末103を引き込むことができる。本実施の形態において、摺動体2の押圧部5を押圧する押出ボルト9は押出機構として機能する。
【００２８】
次にこのような構成からなる本実施の形態の作用、すなわちワイヤーロープのソケッティング方法について図４Ａおよび図４Ｂにより説明する。
【００２９】
まずワイヤーロープ102のロープ端末103をシャックルロッド101の先細状先端部105から固定部101Ａ内へ挿入する。このときワイヤーロープ102のロープ端末103は、シャックルロッド101の窓部106から外方へ突出する。次に窓部106から外方へ突出するワイヤーロープ102のロープ端末103を構成する複数のストランド103ａをほぐし、各ストランド103ａを茶せん状に折り曲げる。
【００３０】
その後、茶せん状に折り曲げられたストランド103ａを含むロープ端末103を手作業でシャックルロッド101の固定部101Ａ内へ引き込む。この場合、ロープ端末103をシャックルロッド101の固定部101Ａ内に引き込む作業は大きな力を要するため、ロープ端末103はシャックルロッド101の固定部101Ａに部分的に引き込まれることになる。
【００３１】
このようにしてシャックルロッド101内にワイヤーロープ102が貫通することになり、ワイヤーロープ102が貫通したシャックルロッド101は摺動体2のシャックルロッド固定治具4に固定される（図４Ａ参照）。
【００３２】
この場合、シャックルロッド101の先細状先端部105が、シャックルロッド固定治具4の一対の固定板4ａ，4ｂ内に挟み込まれて保持される。
【００３３】
またシャックルロッド101内に引き込まれたワイヤーロープ102は、保持装置8の下方保持型12と上方保持型13との間で挟持され締め付けボルト8ａ，8ａを締め付けることにより、保持装置8に保持される。
【００３４】
次に押出ボルト9をスパナまたはラチェットレンチ等の工具を用いて締め付ける。このことにより図４Ｂに示すように、押出ボルト9が摺動体2の押圧部5を押圧し、摺動体2を保持装置8から引き離す方向（図４Ｂの矢印Ａ方向）へ移動させる。
【００３５】
この際、茶せん状に折り曲げられたストランド103ａを含むロープ端末103がシャックルロッド101の固定部101Ａ内へ引き込まれる。ロープ端末103が所定量だけ引き込まれたところで、押出ボルト9の締め付けを停止する。
【００３６】
その後、保持装置8の締め付けボルト8ａ，8ａを緩め、保持装置8からワイヤーロープ102を取り外す。同様にして、シャックルロッド101をシャックルロッド固定治具4から取り外す。
【００３７】
このようにしてワイヤーロープ102のロープ端末103をシャックルロッド101に取り付けるソケッティング作業が終了する。
【００３８】
以上のように本実施の形態によれば、ワイヤーロープのソケッティング用治具装置1は機台3と、機台3上に摺動自在に設けられた摺動体2とを含む簡単な構造をもち、押出ボルト9により摺動体2をワイヤーロープ102を保持する保持装置8から引き離すだけで、シャックルロッド固定治具4に固定されたシャックルロッド101内にワイヤーロープ102のロープ端末103を容易に引き込むことができる。
【００３９】
なお上記実施の形態において、押出機構として押出ボルト9を用いた例を示したが、これに限らず油圧ジャッキやてこを用いた機構により摺動体2をワイヤーロープ102の保持装置8から引き離してもよい。また押出ボルト9を保持装置8に直接設けた例を示したが、これに限らず摺動体2を保持装置から引き離す押出機構は必ずしも保持装置8に直接設ける必要はない。
【００４０】
また、以上において説明した本開示による実施の形態は、例として提示したものであり、開示の範囲を限定することは意図していない。この開示の新規な実施形態は、その他の様々な形態で実施することが可能であり、開示の要旨を逸脱しない範囲で、種々の省略、置き換え、変更を行うことができる。その実施形態やその変形は、開示の範囲や要旨に含まれるとともに、特許請求の範囲に記載された開示とその均等の範囲に含まれる。
【符号の説明】
【００４１】
1  ワイヤーロープのソケッティング用治具装置、2  摺動体、3  機台、4  シャックルロッド固定治具、5  押圧部、6  シャックルロッド保持金具、7ａ，7ａ  調整用ボルト、8  保持装置、8ａ，8ｂ  締め付けボルト、9  押出ボルト、12  下方保持型、13  上方保持型、101  シャックルロッド、102  ワイヤーロープ、103  ロープ端末、103ａ  ストランド。
【要約】
【課題】簡単な構造によりロープ端末をシャックルロッド内に引き込む。
【解決手段】保持装置8に設けられた押出ボルト9により摺動体2を保持装置8から引き離す。このことにより摺動体2のシャックルロッド固定治具4に固定されたシャックルロッド101内に、保持装置8に保持されたワイヤーロープ102のロープ端末103を引き込む。
【選択図】図１【図１】
0006960015.tif 000002
【図２】
0006960015.tif 000003
【図３】
0006960015.tif 000004
【図４Ａ】
0006960015.tif 000005
【図４Ｂ】
0006960015.tif 000006
【図５】
0006960015.tif 000007